(57)【要約】      （修正有）【課題】プレス段内の製品間に使用する金属板へのプリプレグの樹脂流れ付着を抑制することが可能な多層銅張積層板の製造方法、多層銅張積層板及びサイズ切替式銅箔位置規定治具を提供する。【解決手段】予め回路形成された内層板とプリプレグと銅箔とを組合せ積層し積層体となす工程、前記積層体を金属板を用いて、プレス段内で加熱加圧し多層化接着する工程を有する多層銅張積層板の製造方法において、プレス段内の許容範囲内で積層体（製品）と金属板を交互に積載し上蓋を被せ加熱加圧する前に、内層板とプリプレグを組合せ、さらに前記内層板とプリプレグを銅箔と組合せる際に銅箔のセット位置を規定するサイズ切替式銅箔位置規定治具１、２を使用し、加熱加圧時に発生するプリプレグの樹脂流れ量に応じて銅箔の長さを変更し加熱加圧することで、プレス段内の積層体間に使用する金属板へのプリプレグの樹脂流れ付着を抑制する、多層銅張積層板の製造方法。【選択図】図１
2009126133.tif 000002
【特許請求の範囲】
【請求項１】
予め回路形成された内層板とプリプレグと銅箔とを組合せ積層し積層体となす工程、前記積層体を金属板を用いて、プレス段内で加熱加圧し多層化接着する工程を有する多層銅張積層板の製造方法において、プレス段内の許容範囲内で積層体（製品）と金属板を交互に積載し上蓋を被せ加熱加圧する前に、内層板とプリプレグを組合せ、さらに前記内層板とプリプレグを銅箔と組合せる際に銅箔のセット位置を規定するサイズ切替式銅箔位置規定治具を使用し、加熱加圧時に発生するプリプレグの樹脂流れ量に応じて銅箔の長さを変更し加熱加圧することで、プレス段内の積層体（製品）間に使用する金属板へのプリプレグの樹脂流れ付着を抑制することを特徴とする多層銅張積層板の製造方法。
【請求項２】
請求項１に記載の多層銅張積層板の製造方法により製造してなる多層銅張積層板。
【請求項３】
請求項１に記載の多層銅張積層板の製造方法に使用されるサイズ切替式銅箔位置規定治具。
【発明の詳細な説明】
【技術分野】
【０００１】
本発明は，多層銅張積層板の製造方法、多層銅張積層板及びサイズ切替式銅箔位置規定治具に関する。
【背景技術】
【０００２】
従来は設備の機構上、銅箔のセット位置を規定する治具の稼動範囲が決まっており、プリプレグの樹脂流れ量に応じて任意に銅箔の長さを変更することが不可能であり、加熱加圧中において金属板へプリプレグの樹脂流れが付着してしまう恐れがある。
【０００３】
【特許文献１】特開平９−１３５０７９号公報
【発明の開示】
【発明が解決しようとする課題】
【０００４】
本発明は、プレス段内の製品間に使用する金属板へのプリプレグの樹脂流れ付着を抑制することが可能な多層銅張積層板の製造方法、多層銅張積層板及びサイズ切替式銅箔位置規定治具を提供することを目的とする。
【課題を解決するための手段】
【０００５】
本発明は以下の通りである。
１．  予め回路形成された内層板とプリプレグと銅箔とを組合せ積層し積層体となす工程、前記積層体を金属板を用いて、プレス段内で加熱加圧し多層化接着する工程を有する多層銅張積層板の製造方法において、プレス段内の許容範囲内で積層体（製品）と金属板を交互に積載し上蓋を被せ加熱加圧する前に、内層板とプリプレグを組合せ、さらに前記内層板とプリプレグを銅箔と組合せる際に銅箔のセット位置を規定するサイズ切替式銅箔位置規定治具を使用し、加熱加圧時に発生するプリプレグの樹脂流れ量に応じて銅箔の長さを変更し加熱加圧することで、プレス段内の積層体（製品）間に使用する金属板へのプリプレグの樹脂流れ付着を抑制することを特徴とする多層銅張積層板の製造方法。
２．  項１に記載の多層銅張積層板の製造方法により製造してなる多層銅張積層板。
３．  項１に記載の多層銅張積層板の製造方法に使用されるサイズ切替式銅箔位置規定治具。
【発明の効果】
【０００６】
本発明により、プレス段内の製品間に使用する金属板へのプリプレグの樹脂流れ付着を抑制することが可能な多層銅張積層板の製造方法、多層銅張積層板及びサイズ切替式銅箔位置規定治具を提供することが可能となった。
【発明を実施するための最良の形態】
【０００７】
本発明は、加熱加圧する前に、内層板とプリプレグを組合せ、さらにそれらを銅箔と組合せる際に銅箔のセット位置を規定するサイズ切替式銅箔位置規定治具を使用し、加熱加圧時に発生するプリプレグの樹脂流れ量に応じて銅箔の長さを変更し加熱加圧することで、プレス段内の製品間に使用する金属板へのプリプレグの樹脂流れ付着を抑制することが可能であることを特徴とする多層銅張積層板の製造方法である。
【０００８】
また、本発明は、加熱加圧する前に、内層板とプリプレグを組合せ、さらにそれらを銅箔と組合せる際に銅箔のセット位置を規定するサイズ切替式銅箔位置規定治具（サイズ切替式位置規定治具）を使用し、加熱加圧時に発生するプリプレグの樹脂流れに応じて任意で銅箔の長さを変更し、加熱加圧することで、プレス段内の製品間に使用する金属板へのプリプレグの樹脂流れ付着を抑制することが可能な多層銅張積層板に関する。また、本発明のサイズ切替式位置規定治具を使用することにより、例えば、設備の機構上、銅箔のセット位置を規定する治具の稼動範囲が決まっている場合でも、プリプレグの樹脂流れ量に応じて任意に銅箔の長さを変更でき、プレス段内の製品間に使用する金属板へのプリプレグの樹脂流れ付着を抑制することが可能である。
【０００９】
本発明の多層銅張積層板の製造方法について詳述する。まず、サイズ切替式銅箔位置規定治具の材質についてはＳＵＳが望ましく、通常、差込治具とその差込治具を受止める受け治具を作製する。また、サイズ切替にあたっては、差込治具の差込方向を変えることでサイズ切替可能となり、差込治具の先端に任意の幅を確保し、突き当て板（ＳＵＳ）を接着した形態とすることが好ましい。なお、図１は、サイズ切替式銅箔位置規定治具（差込治具及び受け治具）及び差込治具を差込んだ際のサイズ切替式銅箔位置規定治具の形態を示すための斜視図である。また、図２は、サイズ切替式銅箔位置規定治具において差込治具の差込方向を変え、サイズ切替をした形態を示すための断面図である。
【実施例】
【００１０】
予め回路形成された内層板をプリプレグと組合せ銅箔と積層し、それらを金属板を用いて加熱加圧し多層化接着し、プレス段内の製品間に使用する金属板へのプリプレグの樹脂流れ付着を抑制することを可能とするため、切替える銅箔の長さに応じて任意の幅を確保した差込治具を作製し、差込治具の差込方向を変え、サイズ切替を実施した。
【００１１】
予め回路形成された内層板をプリプレグと組合せ銅箔と積層し、それらを金属板を用いて加熱加圧し多層化接着する多層銅張積層板の製造方法において、プレス段内の製品間に使用する金属板へのプリプレグの樹脂流れ付着を抑制することが可能となった。
【図面の簡単な説明】
【００１２】
【図１】サイズ切替式銅箔位置規定治具（差込治具及び受け治具）及び差込治具を差込んだ際のサイズ切替式銅箔位置規定治具の形態を示すための斜視図である。
【図２】サイズ切替式銅箔位置規定治具において差込治具の差込方向を変え、サイズ切替をした形態を示すための断面図である。
【符号の説明】
【００１３】
１：サイズ切替式銅箔位置規定治具（差込治具）
２：サイズ切替式銅箔位置規定治具（差込治具の受け治具）
【図１】
2009126133.tif 000003
【図２】
2009126133.tif 000004